(57)【要約】【課題】パネル表示玩具を水鉄砲などの射的として楽しむ場合、水鉄砲の噴射水がパネルに当たると、パネルは規則正しく半回転できるようにする。【解決手段】複数のパネル２がパネル保持枠１に支持軸５を介して反転可能に配列される。各パネルの表裏面には、異なる表示がしてある。パネルの上下方向の中間位置に、支持軸を水平方向に貫通させる軸孔６を設ける。パネル２は、反転するときに支持軸６に対し垂直方向に所定の範囲でスライドし得る。支持軸中心からパネル上端までの距離ｄ１と、支持軸中心からパネル下端までの距離ｄ２とは、ｄ１＜ｄ２である。支持軸中心から、これに対応する上側横枠３ａまでの距離ｄ３と、支持軸中心からパネル収納スペースの下側横枠までの距離ｄ４とは、ｄ３＜ｄ４とする。さらに、ｄ２とｄ３は、ｄ２＞ｄ３である。  なお、上記構成に代わり、パネル２内部に可動錘を設けてもよい。【選択図】図４
2007044202.tif 000002
【特許請求の範囲】
【請求項１】
複数のパネルがパネル保持枠に支持軸を介して反転可能に配列され、各パネルの表裏面には、異なる表示がしてあるパネル表示玩具において、
前記パネル保持枠は、パネル収納スペースを仕切る複数の縦枠と横枠を有し、
前記パネルの上下方向の中間位置に、前記支持軸を水平方向に貫通又は嵌合させる軸孔が設けられ、この軸孔は、前記パネルが反転するときに前記支持軸に対し垂直方向に所定の範囲でスライドし得る縦長の孔形状を有し、
前記パネルが上下方向に向いて静止状態にあるときの、前記支持軸中心からパネル上端までの距離ｄ１と、前記支持軸中心からパネル下端までの距離ｄ２とは、ｄ１＜ｄ２であり、
前記支持軸中心から、これに対応するパネル収納スペースの上側横枠までの距離ｄ３と、前記支持軸中心から前記パネル収納スペースの下側横枠までの距離ｄ４とは、ｄ３＜ｄ４とし、さらに、前記ｄ２とｄ３は、ｄ２＞ｄ３の条件に設定したことを特徴とするパネル表示玩具。
【請求項２】
請求項１において、前記パネルは、２枚のパネルを上下のスペーサを介して合体させたパネルユニットよりなり、この上下のスペーサと前記２枚のパネルの内壁により前記支持軸の軸孔を形成している請求項１記載のパネル表示玩具。
【請求項３】
複数のパネルがパネル保持枠に支持軸を介して反転可能に配列され、各パネルの表裏面には、異なる表示がしてあるパネル表示玩具において、
前記パネルには、前記パネルが上下方向に向いて静止状態にあるときパネル下部に重心を設定する錘と、前記パネルの反転時に前記支持軸の中心線に対して直交する方向に前記錘を移動させ、前記錘を反転されたパネル下部に導く錘ガイドとを備えたことを特徴とするパネル表示玩具。
【請求項４】
請求項１ないし３のいずれか１項において、前記パネル表示玩具は、水鉄砲の的当て対象となり、その表面と裏面とに幼児の学習効果と遊戯性を意図する文字、数字、絵模様の少なくとも一種の表示が施されているパネル表示玩具。
【発明の詳細な説明】
【技術分野】
【０００１】
本発明は、表裏面に、文字、数字、絵模様などを表示した複数のパネルを反転可能（半回転可能）に配列したパネル表示玩具に関する。特に、これらのパネルを、例えば水鉄砲その他の飛道具玩具などの的当て対象にしたり、或いは指や棒などによる遊戯対象にして、的に当たったとき或いは指、棒などの操作によってパネルが反転した時に表れるパネル表示内容を通して、幼児が遊戯感覚で学習効果を体験できるパネル表示玩具に好適な発明に関する。
【背景技術】
【０００２】
表裏面に文字、数字、絵模様などを表示したパネルを多数配列し、これらのパネルを回転させて表示内容を切り換える技術は、パズルなどの遊戯玩具、時間割表、その他の用途に利用されている。
【０００３】
例えば、実開昭５６−１６７３８６号公報（特許文献１）に記載される二面切替表示器では、多数配列される各パネルの表裏に異なる表示をし、各パネルの側面に長楕円形の軸受穴を、パネルを貫通するように設け、パネルを配設するわく組には、パネルを支持する軸棒が横列のパネルに上記軸受穴を介して貫通させる構造が開示されている。
【０００４】
この従来技術は、パネルの側面に長楕円形の軸受孔を設けることによって、パネルの反転により表裏面のいずれが正面に表れても、パネルのうち軸棒（パネル支持）を基準にして上半部より下半部の面積が大きく（パネルの重心が低く）なるので、パネルが安定した状態を保って軸棒に支持されることができる。
【０００５】
また、実開昭４６−４４１３４号公報（特許文献２）では、２面を有する多数の表示駒の各２面に関連性のある二様の文字または絵画と文字とを表し、これらの表示駒を反転可能に支持盤に配設して、その駒の表示面を指先で切り替えることにより、幼少児童等に遊戯間隔で文字を学習させる技術が開示されている。
【０００６】
特開昭５６−１０１１８５号公報（特許文献３）では、表裏反転可能に配列されたパネルにより一週間の時間割表示盤を構成し、各パネル（科目表示ユニット）の表面に時間割の科目を表し、裏面に宿題の有無を知らせる表示を設けている。また、パネルの一片に磁石を設け、磁石の吸着力によりパネルの安定した状態を保っている。
【０００７】
特開２００２−１９１８７４号公報（特許文献４）の教育玩具では、水鉄砲の的当てになる数字を記載したパネルを複数配設し、パネルに水鉄砲からの噴射水が当たるとパネルが傾きゲートから当たったパネルの数字に対応する数だけの玉が出ることで、遊びを通して幼児に数の教育を体験できるようにしている。
【０００８】
【特許文献１】実開昭５６−１６７３８６号公報
【特許文献２】実開昭４６−４４１３４号公報
【特許文献３】特開昭５６−１０１１８５号公報
【特許文献４】特開２００２−１９１８７４号公報
【発明の開示】
【発明が解決しようとする課題】
【０００９】
本発明者は、風呂で入浴しながら幼児が楽しめる教育玩具又は室内,屋外等で楽しめる遊戯具として、表裏面に関連性のある文字、数字、絵模様などを表示した複数のパネルを、縦、横の配列をもって配置し、これらのパネルを水鉄砲その他の飛道具、指、棒などの的当て対象にして、的当てによりパネルが反転（すなわち半回転）しパネルの文字、数字、絵模様などが変わる遊戯具を考え実現化を目指している。ところで、このような遊戯具の完成度を高めるためには、次のような課題を解決する必要がある。
【００１０】
すなわち、水鉄砲で的となるパネルを当てた場合には、パネルは規則正しく反転して、表示が切り替わることが、遊戯性、教育効果を高めるために必要である。パネルと水鉄砲の距離が変わることや水鉄砲の噴射水の勢いによって、パネルが不規則に何回も回転し、回転停止時に、パネルの表裏いずれの面が正面に現われるか不確定であると、その遊戯具の意図を半減させてしまうことになる。
【００１１】
本発明は、以上の課題をシンプルな構造により解決して、遊戯性と教育効果を高めることができるパネル表示玩具を提供することにある。
【課題を解決するための手段】
【００１２】
本発明は、上記課題を解決するために、パネル表示玩具を、基本的には、次のように構成する。
（第１の解決手段）
複数のパネルがパネル保持枠に支持軸を介して反転可能に配列され、各パネルの表裏面には、異なる表示がしてあるパネル表示玩具において、前記パネル保持枠は、パネル収納スペースを仕切る複数の縦枠と横枠を有する。このパネルの上下方向の中間位置に、支持軸を水平方向に貫通又は嵌合させる軸孔が設けられる。この軸孔は、パネルが反転するときに支持軸に対し垂直方向に所定の範囲でスライドし得る縦長の孔形状を呈している。パネルが上下方向に向いて静止状態にあるときの、支持軸中心からパネル上端までの距離ｄ１と、支持軸中心からパネル下端までの距離ｄ２とは、ｄ１＜ｄ２である。支持軸中心から、これに対応するパネル収納スペースの上側横枠までの距離ｄ３と、支持軸中心から前記パネル収納スペースの下側横枠までの距離ｄ４とは、ｄ３＜ｄ４とする。さらに、前記ｄ２とｄ３は、ｄ２＞ｄ３の条件に設定した。本発明の作用は、後述の実施例１にて説明されている。
（第２の解決手段）
複数のパネルがパネル保持枠に支持軸を介して反転可能に配列され、各パネルの表裏面には、異なる表示がしてあるパネル表示玩具において、前記パネルは、パネルが上下方向に向いて静止状態にあるときパネル下部に重心を設定する錘を有する。また、パネルの反転時に支持軸の中心線に対して直交する方向に錘を移動させ、錘を反転されたパネル下部に導く錘ガイドとを備える。本発明の作用は、後述の実施例２にて説明されている。
【発明の効果】
【００１３】
本発明によれば、パネル表示玩具を水鉄砲などの射的として楽しむ場合、打ち手から射的までの距離や水鉄砲などの噴射水の勢いが変化しても、パネルは規則正しく半回転し、パネル表裏面の文字、数字、絵模様などの表示が確実に切り替わる。したがって、パネル表示玩具の遊戯性、教育効果を高めることができる。
【発明を実施するための最良の形態】
【００１４】
本発明の実施の形態を、図面を参照して説明する。
【００１５】
本発明の対象となるパネル表示玩具の構造的特徴を説明するに先立って、その遊戯の原理を図１、図２によって説明する。
【００１６】
図１は、本発明の一実施例に係る的当て用パネル表示玩具を示す正面図であり、一例として九九の学習効果をもたらすパネル表示群を示している。パネル表示盤の本体となるパネル保持枠１には、九九に使用する数のパネル２を縦横に配列する多数のパネル収納スペース（以下、窓枠と称する）３が、格子状の横枠３ａ，縦枠３ｂによって形成されている。各窓枠３には、パネル２が回転可能に支持軸５（図４、図５参照）を介して配設される。パネル２は、水鉄砲などの噴射水が当たると表裏反転（すなわち半回転）するような機構を有している（この機構は、後述される）。
【００１７】
パネル保持枠１に配置されるパネル２は、表面に九九の１〜９までの掛け算式が表示され、裏面にその答えが表示されている。図では、便宜上、一例として３×１〜３×９までのパネルについては、裏面の答えが正面に現れ、その他のパネルは表面の掛け算式が正面に現れている状態を示している。
【００１８】
遊び方としては、例えば、浴室の壁面などにこのようなパネル表示玩具を吸着板などで着脱自在に固定しておく。そして、遊戯者は的として狙いつけたパネルの掛け算について解答し、その解答が正しいかどうか狙いをつけたパネルを水鉄砲で的当てする。パネルに水鉄砲の噴射水が当たれば、パネルが反転し答えが現れ、解答が正解かどうか知ることができる。
【００１９】
図２は、五十音の学習効果をもたらすパネル表示玩具であり、パネル保持枠１、パネル２、窓枠３の構造は、図１同様であり、五十音に対応して縦横に配列される。各パネル２の表面には、ひらがなが表示され、裏面には上記ひらがなに対応するカタカナが表示されている。遊び方は、図１同様である。パネルに表示される文字、数字、絵模様などは様々な態様が考えられる。図３には、本パネル表示玩具をシリーズとして様々な表示態様を例示したものである。
【００２０】
上記した各パネル２は、（イ）静止状態ではバランス良く安定した状態で回転可能に支持されること、（ロ）水鉄砲からの噴射水が当たると、その噴射水の勢いや水鉄砲とパネルとの距離の違いにかかわらず、規則正しく半回転することが望まれる。このような要求に応える機構を有する実施例を以下に説明する。
（実施例１）
図４は本発明の第１実施例に係るパネル表示玩具の一部正面図であり、図１のB部付近を示している。図５は図４のA-A´断面図、図６は本実施例に用いるパネルの分解斜視図である。
【００２１】
本実施例の各パネル２は、種々の態様が考えられる。代表的なものとしては、例えば、図６に示すような２枚の合成樹脂あるいは金属製のパネル２ａ，２ｂを、一対のスペーサ４ａ，４ｂ及び接着剤を介して貼り合わせたパネルユニット２がある。貼り合わされたパネル２ａ，２ｂの間には、図５に示すようにスペーサ４ａ，４ｂを介して軸棒（パネル支持軸）５を挿通する間隙Ｇが確保される。
【００２２】
軸棒５は横列のパネルユニット２及び窓枠３の縦枠３ｂを貫通して挿入されるものである。スペーサ４ａ，４ｂは、パネルユニット２内（パネル２ａ，２ｂ間）の上下方向の中央付近（中間部）に間隔ｄを置いて平行配置され、スペーサ４ａ，４ｂの間に軸棒（支持軸）５が通されている。
【００２３】
スペーサ４ａ，４ｂ間の間隔ｄの中心ｄｏは、パネルユニット２の水平中心線ｃに一致している。この水平中心線ｃを基準にしてスペーサ４ａ，４ｂまでの距離は、それぞれｄ／２である。軸棒５の軸孔６は、上下のスペーサ４ａ，４ｂとパネル２ａ，２ｂの内壁に囲まれる空間よりなる。この軸孔６の縦方向の長さが上記ｄである。この軸孔６の長さｄは、軸棒５の直径より十分に大きい。各パネルユニット２は、各窓枠３内に配置され、軸棒５を介して回転可能に支持される。また、上記軸孔６が縦長の孔形状をなすことにより、パネルユニット２は、反転するときに、軸棒５の垂直方向に所定の範囲でスライドし得る。
【００２４】
パネルユニット２の表面が正面を向いている状態では、図４及び図５に示すように上側のスペーサ４ａの下端が軸棒５の上面に位置する。一方、パネルユニット２が反転（半回転）すると、スペーサ４ｂが上側にくるので、スペーサ４ｂの下端が軸棒５の上面位置にくる。
【００２５】
このようにスペーサ４ａ或いは４ｂを介してパネルユニット２が軸棒５に支持される場合には、軸棒５の中心から各パネルユニット２の上端までの距離ｄ１と、同じく軸棒中心から各パネルユニット２の下端までの距離ｄ２は、ｄ１＜ｄ２となる。ｄ１：ｄ２は、様々であるが、例えば２：３である。したがって、軸棒５の中心を基準にして各パネルの上半部と下半部の面積Ｓ１，Ｓ２を比較した場合には、Ｓ１＜Ｓ２となり、パネルユニット２の重心位置が低くなり、パネルユニット２が安定した状態で静止状態を保つことになる。
【００２６】
上記の距離ｄ１＜ｄ２に対応して、軸棒５の中心からこれに対応する窓枠３の上辺（上側横枠３ａ）までの距離ｄ３と下辺（下側横枠）までの距離ｄ４とはｄ３＜ｄ４に設定してある。距離ｄ２とｄ３は、ｄ２＞ｄ３である。
【００２７】
図７（ａ），（ｂ）は、パネルユニット２が反転（半回転）するときの動作状態の一例を示すものである。一点鎖線が水鉄砲の噴射水が当たる前のパネルユニット２の静止状態、実線が噴射水が当たって反転するパネルの反転動作終了直前の状態を示す。
【００２８】
図７（ａ）では、一例として一点鎖線で示すパネルユニット２の正面下部（Ｔ位置）に噴射水が当たり、パネルユニットは矢印Ｒ方向に反転する状態を示している。その反転途中（矢印Ｒ方向）で既にパネルユニット２が矢印Ｅ方向（下向き方向）のスライド動作を完了し、スペーサ４ｂが軸棒５の上面に位置している状態になっている。この場合には、パネルユニット２は、窓枠３の上辺（横枠）３ａに当たることなく、反転位置にくる。図８（ａ）は、図７（ａ）の動作をさらに詳しく分解して模式化したものである。この場合には、パネルユニット２が半回転するまでに、回転とスライド動作を同時にバランス良く進行している。
【００２９】
図７（ｂ）でも、一点鎖線で示すパネルユニット２の正面下部（Ｔ位置）に噴射水が当たるが、その反転途中（矢印Ｒ方向）でパネルユニット２の下向き（矢印Ｅ方向）のスライド動作が完了せず、この場合には、パネルユニット２は、反転完了直前位置にくると、実線に示すように窓枠３の上辺（横枠）３ａに当たる。したがって、それ以上のパネルユニット２の回転が阻止されると同時に、パネルユニット２は下向きＥのスライド動作を行うので、パネルユニットが後ろに戻ることなく半回転位置にくる。この場合には、パネルユニット２は、窓枠の横枠３ａの裏側面３ａ−１に当たる。図８（ｂ）は、図７（ｂ）の動作をさらに詳しく分解して模式化したものである。この場合には、パネルユニット２が半回転するまでに、回転動作の勢いがスライド動作に勝ることで、ｄ２＞ｄ３の状態が半回転完了付近でも維持され、パネルユニット２の上端が横枠２に当ることになる。図７（ｂ），図８（ｂ）は、水鉄砲の勢いが強い場合や標的までの距離が短く、パネルユニット２の回転の勢いが強い場合に起こり得る。このような図７（ｂ）、８（ｂ）の作用により、パネルユニット２が勢い良く回転しても、半回転以上の回転を阻止することができる。
【００３０】
なお、噴射水がパネルユニット２の正面上部に当たる場合には、パネルユニットは図７（ａ），（ｂ）、図８（ａ），（ｂ）と反対の反転（半回転）を行うが、この場合にも、上記同様にしてパネルユニットは規則的に半回転位置で停止する。
【００３１】
窓枠３の横枠３ａの断面形状は、パネルユニット２の矢印Ｅ方向のスライド動作を効果的に行い得るようにするために、下向きに先細になる傾斜角を有しているが、これに限定されず、例えば図９のような断面Ｔの字形であってもよい。
【００３２】
以上の本実施例によれば、水鉄砲の的となるパネルユニット２を当てた場合には、シンプルな構造により、打ち手から射的までの距離や水鉄砲などの噴射水の勢いが変化しても、パネルは規則正しく半回転し、パネル表裏面の文字、数字、絵模様などの表示が確実の切り替わり、遊戯性、教育効果を高めることができる。
【００３３】
なお、本実施例では、図４に示すように各窓枠３の縦枠３ｂの軸棒挿通部付近にパネルユニット２の半回転時の横振れを防止する突起３０、３１を設けており、これによりパネルユニット２はスムーズに半回転動作を行うことができる。
【００３４】
また、上記実施例では、２枚のパネル２ａ，２ｂを接着剤で張り合わせて一つのパネルユニット２を構成しているが、接着剤に代えて２枚のパネル２ａ，２ｂを合体させてもよい。例えば、図１５（ａ）に示す例では、パネル２ａ，２ｂの対向する内面に、弾性を有する上部係合突起４０ａ，４０ａ´と下部係合突起４０ｂ，４０ｂ´とを並設する。上部係合突起４０ａ，下部係合突起４０ｂは、一方のパネル２ａに上下に平行配置される。上部係合突起４０ａ´，下部係合突起４０ｂ´は、他方のパネル２ｂに上下に平行配置される。突起４０ａ，４０ｂ間の間隔Ｌと突起４０ａ´，４０ｂ´間の間隔Ｌ´は、Ｌ＜Ｌ´として、突起４０ａ，４０ｂが弾性を利用して突起４０ａ´，４０ｂ´間に嵌り込むようにしてある。これらの突起４０ａ，４０ｂと突起４０ａ´，４０ｂ´とが嵌合することで、パネルユニット２が形成され、また、これらの突起間にパネル支持軸５に対する縦長の軸孔６が確保される。
【００３５】
図１５（ｂ）に示す例では、一方のパネル２ａに、球面凹部（或いは断面が円形の凹溝）を有する上部突起４０ｃ，下部突起４０ｄを上下に平行配置する。また、他方のパネル２ｂに、上記球面凹部に嵌り込む球面凸部（或いは断面が円形の凸部）を有する上部突起４０ｃ´，４０ｄ´を上下に平行配置する。これらのこれらの突起４０ｃ，４０ｄと突起４０ｃ´，４０ｄ´とが嵌合することで、パネルユニット２が形成され、また、これらの突起間にパネル支持軸５に対する縦長の軸孔６が確保される。
【００３６】
図１５のその他の構成は、先に述べた実施例と同様である。
【００３７】
また、各パネルユニット２は、図１６に示すような中空或いは無垢のブロックであってもよく、その両側面に形成される軸孔６も通し穴のほかに凹部状であってもよい。図１６は、凹部の軸孔６を有するもので、各縦枠３ｂ（図１参照）には、この軸孔６に嵌まり込む突起状の支持軸５´が設けてある。
（実施例２）
図１０は、本発明の第２実施例におけるパネル表示玩具に用いるパネル（パネルユニット）２の一つを保持枠１から取り出した状態を示すものである。この場合のパネル２は中空の長方体形状をなし、その左右両側面に支持軸５０を設けている。本実施例の場合には、支持軸５０は、パネル側面の上下方向の中央に設けられている。支持軸５０は、保持枠１（図１、図２参照）の各窓枠の縦枠３ｂに設けた軸孔（図示省略）に嵌合している。軸５０から窓枠上側横枠３ａまでの距離および軸５０から下側横枠３ａまでの距離は等しい。
【００３８】
本実施例では、パネル２が上下方向に向いて静止状態にあるときパネル下部に重心を設定する錘４１と、パネル２の反転時に支持軸５０の中心線に対して直交する方向に錘４１を移動させ、錘４１を反転されたパネル下部に導く錘ガイド４０とを備える。ガイド４０は、例えば筒形をなし、パネル２の内部に設けられる。
【００３９】
図１１（ａ）は、水鉄砲でパネル２の上部位置に水鉄砲の噴射水を当てたとき、図１１（ｂ）は、水鉄砲でパネル２の下部位置に水鉄砲の噴射水を当てたときの、パネル２と錘４１との挙動を示すものである。いずれの場合にも、反転時に、錘４１が反転パネル下部側となる位置に移動する。したがって、本実施例においても、打ち手から射的までの距離や水鉄砲などの噴射水の勢いが変化しても、パネルが半回転して止まる確率が高くなり、パネル表裏面の文字、数字、絵模様などの表示の切り替わり、遊戯性、教育効果を高めることができる。
【００４０】
図１４（ａ）（ｂ）は、第２実施例の変形例を示すものであり、図１４（ａ）は多数のパネルのうち一つのパネル２を取り出して、パネル２と横枠３ａ（図１、図２参照）に設けたストッパ４２との位置関係を示す斜視図である。図１４（ｂ）は、その位置関係をパネル直下からみた下面図である。パネル２に対向する横枠３ａの面には、ストッパ４２が配設されている。パネル２には、その上下中央位置に、パネル２が反転したときに係合する段差４３、４４が設けてある。このストッパにより、パネル２は、確実に半回転規制することができる。
【００４１】
なお、本発明において、パネルの形状は、長方形、四角形、多角形、円形、楕円形などいずれでもよく、その形状は限定されない。また、図１２、１３に示すようにパネルの表裏の一方或いは双方の上下部に凹部５１を設けて、水鉄砲の噴射水の勢いを受けやすい構造にしてもよい。
【図面の簡単な説明】
【００４２】
【図１】本発明の適用対象となるパネル表示玩具の一例を示す正面図。
【図２】本発明の適用対象となるパネル表示玩具の他の例を示す正面図。
【図３】上記パネル玩具の利用態様をシリーズで示す説明図。
【図４】本発明の一実施例を示す部分正面図。
【図５】図４のA-A´断面図。
【図６】上記実施例に用いるパネルの分解斜視図図。
【図７】上記パネルの反転動作を示す説明図。
【図８】上記パネルの反転動作を示す説明図。
【図９】上記実施例に用いるパネル保持枠の横枠の一例を示す断面図。
【図１０】本発明の第２実施例におけるパネル表示玩具に用いるパネル（パネルユニット）２の斜視図および底面図。
【図１１】第２実施例のパネルの反転動作を示す説明図。
【図１２】第２実施例の変形例を示す部分側面図。
【図１３】第２実施例の変形例を示すパネルの斜視図。
【図１４】第２実施例の変形例を示すパネルの部分斜視図及びその下面図。
【図１５】第１実施例に用いるパネルの変形例を示す分解断面図。
【図１６】第１実施例に用いるパネルの変形例を示す斜視図。
【符号の説明】
【００４３】
１…パネル保持枠、２…パネル（パネルユニット）、３…パネル収納スペース（窓枠）、３ａ…横枠、３ｂ…縦枠、４ａ，４ｂ…スペーサ、５…支持軸（軸棒）、６…軸孔。
【図１】
2007044202.tif 000003
【図２】
2007044202.tif 000004
【図３】
2007044202.tif 000005
【図４】
2007044202.tif 000006
【図５】
2007044202.tif 000007
【図６】
2007044202.tif 000008
【図７】
2007044202.tif 000009
【図８】
2007044202.tif 000010
【図９】
2007044202.tif 000011
【図１０】
2007044202.tif 000012
【図１１】
2007044202.tif 000013
【図１２】
2007044202.tif 000014
【図１３】
2007044202.tif 000015
【図１４】
2007044202.tif 000016
【図１５】
2007044202.tif 000017
【図１６】
2007044202.tif 000018